(57)【要約】【課題】必要な実行ファイルを自動的に実行できるとともに、ＰＣ内の無線ＬＡＮ設定ソフトやセキュリティソフトによって、通信が中断されることがない、無線ＬＡＮ装置および無線ＬＡＮアダプタを提供する。【解決手段】ＵＳＢ端子を備えた無線ＬＡＮアダプタ５を、ＰＣ２のＵＳＢ端子に接続して構成される無線ＬＡＮ装置であって、無線ＬＡＮアダプタ５は、無線設定・通信実行プログラム５４を内蔵し、無線ＬＡＮアダプタ５がＰＣ２に接続された場合、無線ＬＡＮアダプタ５をＰＣ２にＣＤ−ＲＯＭドライブと認識させて、無線設定・通信実行プログラム５４を自動起動させ、ＰＣ２は、無線設定・通信実行プログラムを通じてＳＣＳＩ規格のベンダー定義コマンドを用いてＳＣＳＩ規格のデータを無線ＬＡＮアダプタ５に書き込み、無線ＬＡＮアダプタ５はＳＣＳＩ規格のデータを無線ＬＡＮ設定のデータやＴＣＰ／ＩＰのデータに変換し、無線ＬＡＮ設定や通信を行う。【選択図】図２
2010283721.tif 000002
【特許請求の範囲】
【請求項１】
ＵＳＢ端子を備えた無線ＬＡＮアダプタを、情報処理装置のＵＳＢ端子に接続して構成される無線ＬＡＮ装置であって、
前記無線ＬＡＮアダプタは、無線設定・通信実行プログラムを内蔵し、
前記無線ＬＡＮアダプタが前記情報処理装置に接続された場合、前記無線ＬＡＮアダプタを前記情報処理装置にＣＤ−ＲＯＭドライブと認識させて、前記無線設定・通信実行プログラムを自動起動させ、
前記情報処理装置は、前記無線設定・通信実行プログラムを通じてＳＣＳＩ規格のベンダー定義コマンドを用いてＳＣＳＩ規格のデータを前記無線ＬＡＮアダプタに書き込み、前記無線ＬＡＮアダプタは前記ＳＣＳＩ規格のデータを無線ＬＡＮ設定のデータやＴＣＰ／ＩＰのデータに変換し、無線ＬＡＮ設定や通信を行うことを特徴とする無線ＬＡＮ装置。
【請求項２】
前記無線ＬＡＮアダプタと前記情報処理装置に搭載されたアプリケーションソフトは、ダイジェスト認証を用いて相互認証を行い、データ送信時には前記ダイジェスト認証に使用したダイジェスト値をＩＤとしてデータに付加して送信し、データ受信時には自身の保存するダイジェスト値と受信したＩＤが一致した場合に、データを受信することを特徴とする請求項１に記載の無線ＬＡＮ装置。
【請求項３】
情報処理装置に接続するためのＵＳＢ端子を備えた無線ＬＡＮアダプタであって、
ＵＳＢインタフェースと、
無線設定・通信実行プログラムと、
ＣＤ−ＲＯＭドライブの識別子と、
ＳＣＳＩ規格のベンダー定義コマンドを解釈するコマンド解釈部と、
ＳＣＳＩ規格のデータを無線ＬＡＮ設定のデータやＴＣＰ／ＩＰのデータに変換するデータ変換部と、
無線ＬＡＮインタフェースと、を備えたことを特徴とする無線ＬＡＮアダプタ。
【発明の詳細な説明】
【技術分野】
【０００１】
本発明は、パーソナルコンピュータなどの情報処理装置と液晶プロジェクタなどの他の情報処理装置とを無線ＬＡＮによって通信結合する無線ＬＡＮ装置および無線ＬＡＮアダプタに関するものである。
【背景技術】
【０００２】
パーソナルコンピュータ（以下、単に「ＰＣ」と略記）に無線ＬＡＮアダプタなどの新たなハードウェアを接続して使用する場合には、ハードウェアに付属のＣＤ−ＲＯＭなどをＰＣのＣＤ−ＲＯＭドライブに挿入してデバイスドライバや各種設定ソフトウェアをインストールする必要がある。
【０００３】
しかしながら、ＣＤ−ＲＯＭによるソフトウェアのインストールはユーザーにとって煩雑であるうえに、ＣＤ−ＲＯＭドライブを備えていないＰＣの場合には外付けのＣＤ−ＲＯＭドライブを別途準備しなければならない。この問題を解決する方法として、例えば、特許文献１および特許文献２に記載されているようなものがあった。
【０００４】
特許文献１に示すものは、ＰＣのＵＳＢ端子に、無線ＬＡＮアダプタを接続したときに、ＰＣがキーボードとして認識する機能を無線ＬＡＮアダプタ内に備え、無線ＬＡＮアダプタ内の任意のファイルをＰＣにロードして実行させることができる。その後、キーボード機能から無線ＬＡＮアダプタ機能に変更して、通常の無線ＬＡＮアダプタとして使用するようにしたものである。
【０００５】
また、特許文献２に示すものは、無線ＬＡＮアダプタに、メモリ装置と無線ＬＡＮアダプタとの切替スイッチを設けて、当初は、この切替スイッチをメモリ装置側に切り替えて、ＰＣにメモリ装置として認識させて、自動実行プログラムによりドライバソフトをＰＣにロードさせ、その後、切替スイッチを無線ＬＡＮアダプタ側に切り替えて、通常の無線ＬＡＮアダプタとして使用するようにしたものである。
【先行技術文献】
【特許文献】
【０００６】
【特許文献１】特開２００５−２８４９５３号公報
【特許文献２】特開２００５−３４１３４５号公報
【発明の概要】
【発明が解決しようとする課題】
【０００７】
上記の特許文献に示したものは、いずれも、ＵＳＢ無線ＬＡＮアダプタを、他のデバイスとしてＰＣに認識させて、ＵＳＢ無線ＬＡＮアダプタ内のドライバソフトをＰＣにインストールさせたり、無線設定ソフトをＰＣに自動実行させて、その後に本来の無線ＬＡＮアダプタとして使用するものである。
【０００８】
しかしながら、ＰＣ内に既に他の無線ＬＡＮ設定ソフトがインストールされていた場合、意図せずして設定を自動的に切り替えられ、既に確立していた通信が切断されてしまう場合がある。また、ＰＣ内のセキュリティソフトは、無線ＬＡＮアダプタに送るデータを監視しており、このセキュリティソフトによって、場合によっては、無線ＬＡＮの送受信データがブロックされ正常な通信ができなくなる。例えば、無線ＬＡＮで接続したプロジェクタにＰＣからデータを転送中にこのセキュリティソフトでデータがブロックされると、通信が切断されて画像表示が中断してしまう不都合が発生する。これを避けるために、ＰＣの使用目的に応じて、ユーザーがセキュリティソフトの機能を停止させるなどの煩わしい操作が必要であった。
【０００９】
本発明は、以上のことに鑑みてなされたもので、必要な実行ファイルを自動的に実行できるとともに、ＰＣ内のセキュリティソフトによって、通信が中断されることがない、無線ＬＡＮ装置および無線ＬＡＮアダプタを提供することを目的とする。
【課題を解決するための手段】
【００１０】
上記目的を達成するために、本発明の無線ＬＡＮ装置は、ＵＳＢ端子を備えた無線ＬＡＮアダプタを、情報処理装置のＵＳＢ端子に接続して構成される無線ＬＡＮ装置であって、無線ＬＡＮアダプタは、無線設定・通信実行プログラムを内蔵し、無線ＬＡＮアダプタが情報処理装置に接続された場合、無線ＬＡＮアダプタを情報処理装置にＣＤ−ＲＯＭドライブと認識させて、無線設定・通信実行プログラムを自動起動させ、情報処理装置は、無線設定・通信実行プログラムを通じてＳＣＳＩ規格のベンダー定義コマンドを用いてＳＣＳＩ規格のデータを無線ＬＡＮアダプタに書き込み、無線ＬＡＮアダプタはＳＣＳＩ規格のデータを無線ＬＡＮ設定のデータやＴＣＰ／ＩＰのデータに変換し、無線ＬＡＮ設定や通信を行うことを特徴とする。
【００１１】
このような構成により、無線設定・通信実行プログラムが自動的に起動し、情報処理装置（ＰＣ）および無線ＬＡＮアダプタ（ＵＳＢドングル）の必要な設定やＴＣＰ／ＩＰデータの送受信処理が行われる。これにより、ユーザーは無線ＬＡＮアダプタのドライバソフトや無線設定のためのソフトウェアをＣＤ−ＲＯＭで供給する必要がない。また、無線ＬＡＮアダプタは情報処理装置からはＣＤ−ＲＯＭと認識されており、無線ＬＡＮアダプタへのデータの書き込みも、ＳＣＳＩ規格のベンダー定義コマンドで行われるので、情報処理装置内のセキュリティソフトによって、通信が中断されることがなく、高品質のネットワークを構築できる。
【００１２】
また本発明の無線ＬＡＮ装置では、無線ＬＡＮアダプタと情報処理装置に搭載されたアプリケーションソフトは、ダイジェスト認証を用いて相互認証を行い、データ送信時にはダイジェスト認証に使用したダイジェスト値をＩＤとしてデータに付加して送信し、データ受信時には自身の保存するダイジェスト値と受信したＩＤが一致した場合に、データを受信するようにしてもよい。
【００１３】
このような構成により、情報処理装置に搭載されたアプリケーションソフトによって無線ＬＡＮアダプタが不正に利用されることがないので、高度なセキュリティを保つことができる。
【００１４】
本発明の無線ＬＡＮアダプタは、情報処理装置に接続するためのＵＳＢ端子を備えた無線ＬＡＮアダプタであって、ＵＳＢインタフェースと、無線設定・通信実行プログラムと、ＣＤ−ＲＯＭドライブの識別子と、ＳＣＳＩ規格のベンダー定義コマンドを解釈するコマンド解釈部と、ＳＣＳＩ規格のデータをＴＣＰ／ＩＰのデータに変換するデータ変換部と、無線ＬＡＮインタフェースと、を備えたことを特徴とする。
【００１５】
このような構成により、取り扱いが簡単でかつ安定な無線通信が行えるＵＳＢドングル構造の無線ＬＡＮアダプタを実現できる。
【発明の効果】
【００１６】
以上のように、本発明の無線ＬＡＮ装置および無線ＬＡＮアダプタによれば、無線ＬＡＮアダプタをＰＣのＵＳＢ端子に挿入すると、必要なソフトウェアを自動的にＰＣにインストールすることができ、加えて、他の機器との通信が途絶えることがないネットワークを構築できる。
【図面の簡単な説明】
【００１７】
【図１】本発明の無線ＬＡＮ装置と液晶プロジェクタからなる画像表示システムの外観を示す図である。
【図２】本発明の実施の形態における無線ＬＡＮ装置および液晶プロジェクタの電気的構成を示すブロック図である。
【図３】本発明の実施の形態における無線ＬＡＮ装置の無線ＬＡＮ設定を説明するためのフローチャートである。
【図４】本発明の実施の形態における無線ＬＡＮ装置のデータ伝送を説明するためのフローチャートである。
【図５】本発明の実施の形態における無線ＬＡＮ装置の認証手順を示す図である。
【発明を実施するための形態】
【００１８】
以下に、本発明の実施の形態について、図面を参照しながら説明する。
【００１９】
（実施の形態）
図１は、本発明の無線ＬＡＮ装置と液晶プロジェクタからなる画像表示システムの外観を示す図である。
【００２０】
液晶プロジェクタ１は、情報処理装置であるノートパソコンなどのＰＣ２から電波３によりプレゼンテーション資料などの情報を入手し、その画像をスクリーン４に投射する。無線ＬＡＮアダプタ５は、ＵＳＢドングルと呼ばれる構造のものが、ＰＣ２のＵＳＢ端子に接続されて使用され、液晶プロジェクタ１には無線ＬＡＮ機能が内蔵されている。
【００２１】
図２は、本発明の実施の形態における無線ＬＡＮ装置および液晶プロジェクタの電気的構成を示すブロック図である。無線ＬＡＮ装置はＰＣ２およびＵＳＢドングル構造の無線ＬＡＮアダプタ５からなり、この無線ＬＡＮ装置と液晶プロジェクタ１で画像表示システムを構成している。
【００２２】
ＰＣ２は、制御手段であるＣＰＵ２１を核として、ＨＤＤ（ハードディスクドライブ）２２と、主記憶メモリであるＲＡＭ（Ｒａｎｄｏｍ  Ａｃｃｅｓｓ  Ｍｅｍｏｒｙ）２３と、表示手段であるディスプレイ２４と、キーボードやマウス等の入力装置２５と、ＵＳＢ＿ＩＦ（ＵＳＢインタフェース）２６とを備えている。
【００２３】
無線ＬＡＮアダプタ５は、ＰＣ２と通信するためのＵＳＢ＿ＩＦ５１と、制御部５２と、識別子５３と、自動実行プログラム５４と、無線ＬＡＮ＿ＩＦ（無線ＬＡＮインタフェース）５５で構成されている。
【００２４】
ここで、制御部５２は、ＣＰＵ、ＲＡＭ、ＲＯＭなどから構成され、ＰＣ２との通信を仲介し、ＰＣ２から伝送されるＳＣＳＩ（Ｓｍａｌｌ  Ｃｏｍｐｕｔｅｒ  Ｓｙｓｔｅｍ  Ｉｎｔｅｒｆａｃｅ）規格のコマンド（「ＳＣＳＩコマンド」という）を解釈するコマンド解釈部５２ａと、同じく受信したＳＣＳＩ規格のデータ（以下、「ＳＣＳＩデータ」という）をＴＣＰ／ＩＰデータに変換して無線ＬＡＮ＿ＩＦ５５に出力するデータ変換部５２ｂとを備えている。識別子５３は、ＰＣ２に、無線ＬＡＮアダプタ５がＣＤ−ＲＯＭドライブであると認識させるための識別子であり、ＣＤ−ＲＯＭの認識ＩＤの他、型番や、製造番号、メーカ情報などを含んでいる。無線ＬＡＮアダプタ５がＰＣ２のＵＳＢ端子に接続されると、制御部５２は識別子５３をＰＣ２へ送信する。
【００２５】
自動実行プログラム５４は、液晶プロジェクタ１とパソコン２とを無線で接続するための無線設定・通信ソフトウェア（一般にワイヤレスマネージャと呼ぶ）であり、無線ＬＡＮアダプタ５がＰＣ２のＵＳＢ端子に接続されると、制御部５２は自動実行プログラム５４をＰＣ２のＲＡＭ２３にロードして自動実行される。なお、識別子５３と、自動実行プログラム５４は、実際には、制御部５２内のＲＯＭや、フラッシュメモリ（図示せず）などに収納されている。
【００２６】
無線ＬＡＮ＿ＩＦ５５は、制御部５２からのＴＣＰ／ＩＰデータを液晶プロジェクタ１に無線伝送する。
【００２７】
液晶プロジェクタ１は、無線ＬＡＮアダプタ５との無線通信を行う無線ＬＡＮ＿ＩＦ１１と、無線ＬＡＮ＿ＩＦ１１で受け取ったＴＣＰ／ＩＰデータから画像を生成する画像生成部１２と、画像を表示する液晶パネル１３と、光源１４と、光源１４の光が液晶パネル１３で変調された画像を拡大・投射する投射レンズ１５とで構成されている。
【００２８】
次に、図２を参照しながら、図３と図４を用いて本実施の形態の無線ＬＡＮ装置の動作を説明する。以下の説明においては、説明を簡単にするために、図２におけるＰＣ２を単にＰＣ、無線ＬＡＮアダプタ５を単にドングルあるいはＵＳＢドングルと表現する場合もある。
【００２９】
図３は、ＰＣの無線ＬＡＮ設定を説明するためのフローチャートである。
【００３０】
まず、準備として、液晶プロジェクタ１の電源をオンにし、無線ＬＡＮ＿ＩＦ１１をアクティブ状態にする。ステップＳ１において、ＰＣの電源をオンし、ステップＳ２において、ドングルをＰＣのＵＳＢ端子に接続すると、ＵＳＢ端子を監視しているＯＳ（Ｏｐｅｒａｔｉｏｎ  Ｓｙｓｔｅｍ）がこれを感知し、ステップＳ３において、ドングルのデバイスを誰何する。これに対しドングルは、ステップＳ４において、識別子５３の内容をＰＣ（ＯＳ）へ送信する。すなわち、ドングルがＣＤ−ＲＯＭドライブである旨の応答を行う。これを受けたＯＳは、識別子５３の情報から、当該ドライブのドライバソフトが自己のファイルにあるかを検索する。通常のＰＣには、ＣＤ−ＲＯＭドライブのドライバソフトはインストールされているので、次のステップＳ５において、ＣＤ−ＲＯＭドライブのドライバソフトを起動する。次に、ドングルはステップＳ６において、自動実行プログラム５４のファイルをＰＣにロードする。このファイルは、ＰＣのＲＡＭ２３に展開され、次のステップＳ７において、ワイヤレスマネージャが起動して、ディスプレイ２４上に接続案内などの画面が表示される。ステップＳ８において、ユーザーが入力装置２５を操作して、無線ＬＡＮの設定が行われる。具体的には、ＰＣ２は無線ＬＡＮアダプタ５をＣＤ−ＲＯＭドライブと認識しているため、ＳＣＳＩプロトコルに基づいてコマンドおよびデータのやり取りが行われる。ところで、ＣＤ−ＲＯＭドライブはデータの読み出し専用デバイスであって、データの書き込み、すなわちＰＣ２から無線ＬＡＮアダプタ５へ無線ＬＡＮ設定やデータ送信を指示するＷｉｔｅコマンドは存在していない。そこで、本実施の形態では、ＣＤ−ＲＯＭドライブでもデータ書込みを可能とするベンダー定義コマンドを用いてＰＣ２から無線ＬＡＮアダプタ５へのデータの送信を可能にしている。こうする事により、ＰＣ２に無線ＬＡＮ設定ソフトやセキュリティソフトがインストールされていても、無線ＬＡＮユーティリティソフトによる無線ＬＡＮ設定の強制切替やセキュリティソフトによるデータ伝送の中断が発生することはない。ステップＳ９において、無線ＬＡＮアダプタ５はＰＣ２からＳＣＳＩベンダー定義コマンドを受信する。次のステップＳ１０で制御部５２のコマンド解釈部５２ａにおいて、ベンダー定義コマンドを解釈してデータ受信の準備をする。次にステップＳ１１で、ＰＣ２から送信されてくるＳＣＳＩデータを受信する。これを受けた制御部５２の、データ変換部５２ｂでは、ステップＳ１２において、ＳＣＳＩデータを無線ＬＡＮ設定データに変換し、ステップＳ１３において、無線ＬＡＮ＿ＩＦ５５に対して無線ＬＡＮの設定が行われ、ＰＣと液晶プロジェクタ１とが接続状態になる。
【００３１】
図４は、ＰＣ２から液晶プロジェクタ１へのデータ伝送を説明するためのフローチャートである。図４のステップＳ２１において、無線ＬＡＮアダプタ５はＰＣ２からＳＣＳＩベンダー定義コマンドを受信する。次のステップＳ２２で制御部５２のコマンド解釈部５２ａにおいて、ベンダー定義コマンドを解釈してデータ受信の準備をする。次にステップＳ２３で、ＰＣ２から送信されてくるＳＣＳＩデータを受信する。これを受けた制御部５２の、データ変換部５２ｂでは、ステップＳ２４において、ＳＣＳＩデータをＴＣＰ／ＩＰデータに変換し、ステップＳ２５において、無線ＬＡＮ＿ＩＦ５５から無線データを液晶プロジェクタ１に送出し、ステップＳ２６で液晶プロジェクタ１がスクリーンに画像を投射する。
【００３２】
次に、ＰＣ２のアプリケーションソフト（以下、「アプリソフト」ともいう）によってＵＳＢドングルを不正に利用されないようにする方法について説明する。ＵＳＢドングルの使用に先立って、ＰＣ２のアプリソフトとＵＳＢドングルの相互認証が行われる。この相互認証には、一般的なダイジェスト認証などが用いられる。このダイジェスト認証そのものは一般的な認証方法であるので説明は省略する。本実施の形態の無線ＬＡＮ装置では、お互いの認証に使用したダイジェスト値をＩＤとして通信データに付加して送信し、受信側は受信したＩＤが自身が保有しているダイジェスト値と一致した場合はデータを受信するが、一致しない場合は無視するようにしている。
【００３３】
図５は、ＰＣ（アプリソフト）２とＵＳＢドングルの間での認証手順を示す図である。図５において、ステップＳ３１でＰＣ２はＵＳＢドングルの認証に使ったダイジェスト値（Ｄｉｇｅｓｔ（１））をＩＤとしてデータに付加してＵＳＢドングルへ送信する。ステップＳ３２では、ＵＳＢドングルは受信したＩＤが自身の保持しているダイジェスト値（Ｄｉｇｅｓｔ（１））と一致するか否かを判定し、一致すればデータを受信し、一致しなければ無視する。同様に、ステップＳ３３で、ＵＳＢドングルはＰＣ２の認証に使ったダイジェスト値（Ｄｉｇｅｓｔ（２））をＩＤとしてデータに付加してＰＣ２へ送信する。ステップＳ３４では、受信したＩＤが自身の保持しているダイジェスト値（Ｄｉｇｅｓｔ（２））と一致するか否かを判定し、一致すればデータを受信し、一致しなければ無視する。
【００３４】
これにより、認証されていないアプリソフトによって、ＵＳＢドングルが不正に利用されることを防止することが可能となる。
【００３５】
以上説明したように、本実施の形態の無線ＬＡＮ装置および無線ＬＡＮアダプタによれば、無線ＬＡＮアダプタ５はＣＤ−ＲＯＭドライブと認識されるため無線ＬＡＮアダプタ５が内蔵している無線設定・通信実行プログラムの自動起動が可能となり、ＰＣ２の無線ＬＡＮ設定ソフトとの競合も発生しない。また、ＰＣ２から送出されるデータは、ＳＣＳＩ規格に基づくデータであるから、ＰＣ２のセキュリティソフトの監視に抵触せず、プロジェクタ等の画像を伝送する場合にも投射画像が途切れたりすることがない。さらには、ＰＣ２に搭載されたアプリケーションソフトと無線ＬＡＮアダプタ５間で相互認証の仕組みを導入することにより、無線ＬＡＮアダプタ（ＵＳＢドングル）５のアプリケーションソフトによる不正利用を防止することができる。
【産業上の利用可能性】
【００３６】
本発明は、パソコンなどの情報処理装置に無線ＬＡＮアダプタ機能を有するＵＳＢドングルを接続して液晶プロジェクタなどの他の無線機器と無線ＬＡＮシステムを構成する場合に有用である。
【符号の説明】
【００３７】
１    液晶プロジェクタ
２    情報処理装置（ＰＣ）
３    電波
４    スクリーン
５    無線ＬＡＮアダプタ
１１    無線ＬＡＮ＿ＩＦ（液晶プロジェクタ側）
１２    画像生成部
１３    液晶パネル
１４    光源
１５    投射レンズ
２１    ＣＰＵ
２２    ＨＤＤ
２３    ＲＡＭ
２４    ディスプレイ
２５    入力装置
２６    ＵＳＢ＿ＩＦ（ＰＣ側）
５１    ＵＳＢ＿ＩＦ（無線ＬＡＮアダプタ側）
５２    制御部（マイコン）
５２ａ    コマンド解釈部
５２ｂ    データ変換部
５３    識別子
５４    自動実行プログラム（ＷＭ）
５５    無線ＬＡＮ＿ＩＦ（無線ＬＡＮアダプタ側）
【図１】
2010283721.tif 000003
【図２】
2010283721.tif 000004
【図３】
2010283721.tif 000005
【図４】
2010283721.tif 000006
【図５】
2010283721.tif 000007